(57)【要約】【課題】音響による識別情報を用いて、ユーザが使用する携帯端末装置に放送に関連した情報を表示することで更なる情報の取得を容易にした情報提供システムを提供する。【解決手段】放送再生装置は、識別情報が重畳された放送音声を放音する。識別情報解決サーバは、時間帯別にコンテンツのアドレス情報を記憶した識別情報／アドレス情報対応テーブルを有し、携帯端末装置から識別情報を受信した受信時の時刻情報を用いてテーブルを検索し、対応するコンテンツのアドレス情報を返信する。携帯端末装置は、放送再生装置が放音した放送音声を収音する収音部、収音した放送音声から識別情報を復調する復調部、ユーザによる操作を受け付ける操作部、操作部が操作されたとき識別情報を識別情報解決サーバに送信してアドレス情報を取得する識別情報解決部、および、取得したアドレス情報を用いてコンテンツにアクセスするコンテンツアクセス部を備える。【選択図】図１
2012227631.tif 000002
【特許請求の範囲】
【請求項１】
放送再生装置、携帯端末装置、および、識別情報解決サーバを有する情報提供システムであって、
前記放送再生装置は、識別情報を変調して音響化した音響ＩＤが重畳された放送音声を放音し、
前記識別情報解決サーバは、複数の時間帯別に前記識別情報に対応するコンテンツのアドレス情報を記憶した識別情報／アドレス情報対応テーブルを有し、前記携帯端末装置から識別情報を受信して、受信時の時刻情報を用いて受信した識別情報の識別情報／アドレス情報対応テーブルを検索し、前記時刻情報に対応するコンテンツのアドレス情報を前記携帯端末装置に返信し、
前記携帯端末装置は、前記放送再生装置が放音した放送音声を収音する収音部、収音した放送音声から前記音響ＩＤを分離し、該音響ＩＤから識別情報を復調する復調部、復調された識別情報を記憶する記憶部、ユーザによる操作を受け付ける操作部、操作部が操作されたとき前記記憶部に記憶されている識別情報を前記識別情報解決サーバに送信して前記アドレス情報を取得する識別情報解決部、および、取得したアドレス情報を用いて前記コンテンツにアクセスするコンテンツアクセス部を備えた
ことを特徴とする情報提供システム。
【請求項２】
前記識別情報は、前記放送再生装置が再生する特定の放送番組に対応づけられており、
前記識別情報解決サーバが有する前記識別情報／アドレス情報対応テーブルは、前記識別情報が対応づけられている前記特定の放送番組中の特定の場面が放送される時間帯と該特定の場面に関連する情報を提供するインターネットサイトのアドレス情報を対応づけて記憶している請求項１に記載の情報提供システム。
【請求項３】
利用者が携帯する装置であって、
識別情報を変調して音響化した音響ＩＤが重畳された音声を収音する収音部と、
収音した音声から前記音響ＩＤを分離し、該音響ＩＤから識別情報を復調する復調部と、
復調された識別情報を記憶する記憶部と、
ユーザによる操作を受け付ける操作部と、
前記操作部が操作されたとき、前記記憶部に記憶されている識別情報を予め定められたサーバに送信してアドレス情報を取得する識別情報解決部と、
取得したアドレス情報で指定されるコンテンツサーバにアクセスするコンテンツアクセス部と、
を備えた携帯端末装置。
【請求項４】
コンピュータを、
識別情報を変調して音響化した音響ＩＤが重畳された音声を収音する手段、
収音した音声から前記音響ＩＤを分離し、該音響ＩＤから識別情報を復調する手段、
復調された識別情報を記憶する手段、
ユーザによる操作を受け付ける手段、
ユーザによる操作が行われたとき、記憶されている識別情報を予め定められたサーバに送信してアドレス情報を取得する手段、
取得したアドレス情報で指定されるコンテンツサーバにアクセスする手段、
として機能させるプログラム。
【発明の詳細な説明】
【技術分野】
【０００１】
この発明は、テレビ等で番組放送中にその番組に関連した情報を提供する情報提供システムおよびこの情報提供システムに用いられる携帯端末装置に関する。
【背景技術】
【０００２】
テレビ放送において、番組の放送中にデータ放送を重畳し、テレビのリモコン操作によってその番組に関連する各種の情報を提供するものが実用化されている（たとえば特許文献１）。
【先行技術文献】
【特許文献】
【０００３】
【特許文献１】特開２００８−２８８６３８号公報
【発明の概要】
【発明が解決しようとする課題】
【０００４】
しかし、データ放送は情報を表示するのみであり更なるユーザからのアクセスを受け付け可能なものではなかった。たとえば、データ放送で表示された情報に対応して物品を購入したり更なる情報を検索しようとすれば、別途インターネットやテレホンショッピングを用いなければならず面倒であった。
【０００５】
この発明は、音響による識別情報を用いて、ユーザが使用する携帯端末装置に放送に関連した情報を表示することで更なる情報の取得を容易にした情報提供システムおよび携帯端末装置を提供することを目的とする。
【課題を解決するための手段】
【０００６】
請求項１の発明は、放送再生装置、携帯端末装置、および、識別情報解決サーバを有する情報提供システムであって、前記放送再生装置は、識別情報を変調して音響化した音響ＩＤが重畳された放送音声を放音し、前記識別情報解決サーバは、複数の時間帯別に前記識別情報に対応するコンテンツのアドレス情報を記憶した識別情報／アドレス情報対応テーブルを有し、前記携帯端末装置から識別情報を受信して、受信時の時刻情報を用いて受信した識別情報の識別情報／アドレス情報対応テーブルを検索し、前記時刻情報に対応するコンテンツのアドレス情報を前記携帯端末装置に返信し、前記携帯端末装置は、前記放送再生装置が放音した放送音声を収音する収音部、収音した放送音声から前記音響ＩＤを分離し、該音響ＩＤから識別情報を復調する復調部、復調された識別情報を記憶する記憶部、ユーザによる操作を受け付ける操作部、操作部が操作されたとき前記識別情報を前記識別情報解決サーバに送信して前記アドレス情報を取得する識別情報解決部、および、取得したアドレス情報を用いて前記コンテンツにアクセスするコンテンツアクセス部を備えたことを特徴とする。
【０００７】
請求項２の発明は、前記識別情報は、前記放送再生装置が再生する特定の放送番組に対応づけられており、前記識別情報解決サーバが有する識別情報／アドレス情報対応テーブルは、前記識別情報が対応づけられている前記特定の放送番組中の特定の場面が放送される時間帯と該特定の場面に関連する情報を提供するインターネットサイトのアドレス情報を対応づけて記憶していることを特徴とする。
【０００８】
請求項３の発明は、利用者が携帯する携帯端末装置であって、識別情報を変調して音響化した音響ＩＤが重畳された音声を収音する収音部と、収音した音声から前記音響ＩＤを分離し、該音響ＩＤから識別情報を復調する復調部と、復調された識別情報を記憶する記憶部と、ユーザによる操作を受け付ける操作部と、前記操作部が操作されたとき、前記記憶部に記憶されている識別情報を予め定められたサーバに送信してアドレス情報を取得する識別情報解決部と、取得したアドレス情報で指定されるコンテンツサーバにアクセスするコンテンツアクセス部と、を備えたことを特徴とする。
【０００９】
請求項４の発明であるプログラムは、コンピュータを、識別情報を変調して音響化した音響ＩＤが重畳された音声を収音する手段、収音した音声から前記音響ＩＤを分離し、該音響ＩＤから識別情報を復調する手段、復調された識別情報を記憶する手段、ユーザによる操作を受け付ける手段、ユーザによる操作が行われたとき、記憶されている識別情報を予め定められたサーバに送信してアドレス情報を取得する手段、取得したアドレス情報で指定されるコンテンツサーバにアクセスする手段、として機能させることを特徴とする。
【発明の効果】
【００１０】
この発明によれば、放送番組中の場面に応じた情報を的確にユーザに提供することが可能になる。
【図面の簡単な説明】
【００１１】
【図１】この発明の実施形態である情報提供システムのブロック図
【図２】音響ＩＤの重畳方式の例を示す図
【図３】スマートフォンの一部ブロック図
【図４】ＩＤ解決サーバのＩＤ／ＵＲＬ対応テーブルの例を示す図
【図５】スマートフォンおよびＩＤ解決サーバの動作を示すフローチャート
【発明を実施するための形態】
【００１２】
図面を参照してこの発明の実施形態である情報提供システムについて説明する。図１は、情報提供システムの構成を説明する図である。
【００１３】
この情報提供システムは、テレビ１で放送される番組の複数のシーンに関連する情報を、テレビ１の視聴者であるスマートフォン２のユーザ６（視聴者）に提供するシステムである。
【００１４】
まず、本実施形態の概要を説明する。本発明の放音装置であるテレビ（ＴＶ）１が、番組の放送中に本発明の識別情報である音響ＩＤを放音する。この音響ＩＤは、放送中の番組に対応するものであり、放送音声に重畳されて放音される。放音された音響ＩＤは、本発明の携帯端末装置であるスマートフォン２によって受信される。スマートフォン２は、音声信号である音響ＩＤをＩＤコードにデコードして記憶する。番組を視聴しているユーザ６は、番組を視聴し興味ある場面が映し出されると、スマートフォン２を操作する（たとえばボタンを押下する）。このときの操作により、スマートフォン２は記憶していたＩＤコードをＩＤ解決サーバ４に送信する。ＩＤ解決サーバ４は、スマートフォン２から受信したＩＤコードおよび受信時刻でＩＤ／ＵＲＬ対応テーブル４０を検索し対応するＵＲＬをスマートフォン２に返信する。この対応するＵＲＬは、ユーザ６がスマートフォン２を操作したときに放送されていた（テレビ１の画面に映し出されていた、または音声で再生されていた）場面に関連する情報を提供するインターネットサイトのＵＲＬである。たとえば、図４に示すように、風景が映し出されていた時間帯には、その風景の場所を旅行するときの旅行ガイドを提供するＵＲＬが対応づけられ、女性が映し出されていた時間帯には、その女性が着ていた服装の通販サイトのＵＲＬが対応づけられる。スマートフォン２は、ＩＤ解決サーバ４からＵＲＬを受信すると、そのＵＲＬで指示されるコンテンツサーバ５にアクセスし、そのＵＲＬに保存されているコンテンツをスマートフォン２上で再生（表示）する。
【００１５】
ここで、音響ＩＤとは、空気等の媒質の振動である音波を媒体として伝送されるＩＤコードである。音響ＩＤは、この実施形態では、テレビ番組の音声に重畳されてテレビ１のスピーカから放音される。図２に示すようにテレビ放送の番組に使用される音声の上限周波数は１６ｋＨｚ程度であるため、音響ＩＤは、この周波数以上でテレビ１のオーディオ回路やスピーカが動作して再生可能な周波数帯域である１８〜２０ｋＨｚの帯域に重畳される。
【００１６】
番組や音声に音響ＩＤを重畳する方式は種々の方式を採用可能であるが、たとえば、本出願人による国際特許出願（国際公開第２０１０／０１６５８９号パンフレット）に詳細に説明されているような、ＩＤを拡散符号で拡散して１８〜２０ｋＨｚの周波数帯域まで周波数シフトする技術が好適である。
【００１７】
次に本実施形態の構成を説明する。図１において、テレビ１は、テレビ放送を受信して映像を表示するとともに音声を放音する放送再生装置（放音装置）の一例である。このテレビ放送の音声に音響化されたＩＤコードである音響ＩＤが重畳される。音響ＩＤは、上記情報提供の対象となる番組の冒頭および番組中の音声に適宜重畳される。テレビ番組の視聴者であるユーザ６はスマートフォン２を所持しており、このスマートフォン２が音響ＩＤが重畳された音声を収音する。
【００１８】
図３はスマートフォン２の本願発明に関係する部分のみを取り出した機能ブロック図である。スマートフォン２は、マイク２１、制御部２２、ネットワーク通信部２５、ＧＰＳ測位部２６、時計２７、操作部２８、表示部２９を備えている。マイク２１は、テレビ１のスピーカから放音された音響を収音する。ネットワーク通信部２６は、ネットワーク３を介してＩＤ解決サーバ４やコンテンツサーバ５と通信する機能部である。
【００１９】
制御部２２には、アプリケーションプログラムとの協働により音響ＩＤ処理部２３およびウェブブラウザ２４が設けられている。音響ＩＤ処理部２３は、収音して得られた音声信号を、拡散変調に用いられた拡散符号を係数とする整合フィルタに通すことによってＩＤコードを復調する処理部、ネットワーク通信部２５を制御してＩＤ解決サーバ４およびコンテンツサーバ５と通信する処理部などからなっている。このＩＤコードの復調処理は、国際公開第２０１０／０１６５８９号パンフレットに詳細に説明されている。ウェブブラウザ２４は、音響ＩＤ処理部２３が取得したＵＲＬにアクセスしてウェブページを表示する。
【００２０】
ＧＰＳ測位部２６は、ＧＰＳを用いて自己の位置を測定し、位置情報としてＵＲＬ取得部２４に入力する。また、時計２７は、音響ＩＤを含んだ音声の収音時、または、ＩＤ解決サーバ４との通信時の時刻を計測して時刻情報としてＵＲＬ取得部２４に入力する。これらＧＰＳ測位部２６および時計２７は、後述の変形例において用いられる。また、操作部２８はたとえば表示部２９の表面に設けられたタッチパネルであり、ボタンスイッチ２８Ａを含んでいる。ボタンスイッチ２８Ａは、ユーザ６が、番組を視聴している際に興味ある場面が映し出されたときに操作する操作子である。
【００２１】
上記音響ＩＤ処理部２３は、音響ＩＤアプリケーションと制御部２２との協働により実現される。音響ＩＤアプリケーションは、収音した音声から音響ＩＤを分離・デコードして記憶する機能、ユーザ６の操作に応じてＩＤコードをＩＤ解決サーバ４に送信して対応するＵＲＬを取得する機能を実現するアプリケーションソフトである。音響ＩＤ処理部２３の詳細な動作は図５のフローチャートで説明する。
【００２２】
スマートフォン２の制御部２２は、音響ＩＤ処理部２３により音響ＩＤをデコードしてＩＤ記憶部２２Ａに記憶する。ユーザ６によってボタンスイッチ２３Ａが操作されると、記憶しているＩＤコードをネットワーク３を介してＩＤ解決サーバ４に送信する。このＩＤコードの送信に応じて、ＩＤ解決サーバ４からＵＲＬを受信する。制御部２２は、このＵＲＬをウェブブラウザ２４に渡し用いてコンテンツサーバ５にアクセスし、所定のコンテンツを表示する。
【００２３】
ＩＤ解決サーバ４は、ＩＤ／ＵＲＬ対応テーブル４０を備えており、受信した音響ＩＤおよび受信時刻でＩＤ／ＵＲＬ対応テーブル４０を検索し、対応するＵＲＬを読み出してスマートフォン２に返信する。このように、たとえば４桁の数字などの短いＩＤコードをＵＲＬに変換することにより、送信レートの高くない音響によるデータ送信であっても、長いＵＲＬにユーザ６のスマートフォン２を導くことが可能になる。
【００２４】
ウェブページがインターネット通販サイトであれば、ユーザ６はそのサイトを用いて賞品を購入することができ、またホテルやレストランの予約サイトであれば、ユーザ６はそのサイトを用いて宿泊や食事を予約することができる。また、そのウェブページに他のＵＲＬや電話番号がリンクされていれば、ユーザ６はそのリンクにアクセスすることで、更なる情報を到達したり、電話を掛けたりすることが可能になる。
【００２５】
図４は、ＩＤ／ＵＲＬ対応テーブル４０を示す図である。このＩＤ／ＵＲＬ対応テーブル４０は、１つのテレビ番組（旅番組Ａ）のためのテーブルを示している。このＩＤ／ＵＲＬ対応テーブル４０には、このテレビ番組のＩＤ「００００」とＩＤコードの受信時間帯に対応づけてＵＲＬが記憶されている。各欄の時間帯は、番組内で「風景」「女性」「食事」「宿泊」の映像が表示または音声が放音される時間帯であり、これらの時間帯に対応して、これらの映像または音声に関連する「その風景の場所を訪れるための観光ガイドのＵＲＬ」、「その女性が着ていた衣服の通販サイトのＵＲＬ」、「その食堂のメニュー等を紹介するグルメガイドのＵＲＬ」、「そのホテルを予約するサイトのＵＲＬ」が記憶されている。
【００２６】
１つのシーンの時間帯を更に細分化して、それぞれ異なるＵＲＬを対応づけてもよい。すなわち、同じシーンであってもユーザがボタンスイッチ２３Ａを操作するタイミングに応じて異なるＵＲＬに導くようにしてもよい。当然、各ＵＲＬはそのシーンに関連するコンテンツを提供するＵＲＬであることが好ましい。
【００２７】
ＩＤ解決サーバ４が複数の番組のＩＤコードをＵＲＬに変換するためには、図４に示すＩＤ／ＵＲＬ変換テーブル４０を複数の番組に対応して複数設ければよい。
【００２８】
図５のフローチャートを参照してスマートフォン２およびＩＤ解決サーバ４の動作を説明する。図５（Ａ）、（Ｂ）はスマートフォン２の制御部２２の動作を示すフローチャート、図５（Ｃ）はＩＤ解決サーバ４の動作を示すフローチャートである。
【００２９】
図５（Ａ）はスマートフォン２の制御部２２の音響ＩＤ受信動作を示すフローチャートである。制御部２２は、音響ＩＤを検出しない間は、ステップＳ１（以下、ステップＳｎを単にＳｎと記す）で待機している。音響ＩＤを検出すると（Ｓ１でＹＥＳ）、これをデコードし（Ｓ２）、ＩＤ記憶部２２Ａ（メモリ）に記憶する（Ｓ３）。
【００３０】
図５（Ｂ）は制御部２２のボタンスイッチ２３Ａの押下対応動作を示すフローチャートである。制御部２２は、ボタンスイッチ２３Ａの押下を検出しない間はＳ１１で待機している。ボタンスイッチ２３Ａの押下を検出すると（Ｓ１１でＹＥＳ）、ＩＤ記憶部２２ＡにＩＤコードが記憶されているかを判断する（Ｓ１２）。ＩＤコードが記憶されていない場合には（Ｓ１２でＮＯ）、何もしないでＳ１１に戻る。ＩＤ記憶部２２ＡにＩＤコードが記憶されている場合には（Ｓ１２でＹＥＳ）、このＩＤコードをＩＤ解決サーバ４に送信する（Ｓ１３）。ＩＤ解決サーバ４は受信したＩＤコードに対応して図５（Ｃ）の処理を実行し、送信したＩＤコードが有効な場合には対応するＵＲＬを返信し、ＩＤコードが時間切れである場合にはその旨をスマートフォン２に返信する。スマートフォン２はこの返信を受信すると、その内容がＵＲＬであるか時間切れである旨の電文であるかを判断する（Ｓ１４）。受信した内容がＵＲＬの場合には（Ｓ１４でＹＥＳ）、スマートフォン２の標準アプリケーションであるウェブブラウザ２４を起動し（Ｓ１５）、受信したＵＲＬをウェブブラウザ２４に渡して（Ｓ１６）、このＵＲＬにアクセスしてウェブページを表示させる（Ｓ１７）。ＩＤ解決サーバ４から受信した内容がＩＤが時間切れである旨の電文であった場合には（Ｓ１４でＮＯ）、その旨を表示部２９に表示する（Ｓ１８）。
【００３１】
図５（Ｃ）はＩＤ解決サーバ４の動作を示すフローチャートである。端末装置であるスマートフォン２からＩＤを受信するまでＳ２１で待機している。ＩＤを受信すると（Ｓ２１でＹＥＳ）、そのときの時刻を読み取り（Ｓ２２）、この受信時刻と受信したＩＤとでＩＤ／ＵＲＬ対応テーブル４０を検索する（Ｓ２３）。検索の結果、受信時刻が受信したＩＤの有効時間帯に含まれている場合には（Ｓ２４でＹＥＳ）、ＩＤが有効であるとしてその欄のＵＲＬを読み出して、スマートフォン２に送信し（Ｓ２５）、一致していない場合には（Ｓ１４でＮＯ）、有効時間帯から外れてＩＤが送られてきたとして、ＩＤが時間切れである旨をスマートフォン２に返信する（Ｓ２６）。
【００３２】
以上の処理により、ユーザ６は、テレビ番組を視聴中に興味のある場面がテレビ１に表示されたとき、手元にあるスマートフォン２を操作することにより、スマートフォン２にその場面に関連のある情報をリアルタイムで表示させることができる。
【００３３】
以上のフローチャートでは、スマートフォン２からＩＤを受信したＩＤ解決サーバ４が受信時刻を読み出してＩＤ／ＵＲＬ対応テーブル４０を検索するようにしているが、スマートフォン２がＩＤ解決サーバ４に対して音響ＩＤを受信した時刻情報を送信するようにしてもよい。この場合でも、この時刻情報が本発明における「受信時の時刻情報」に対応する。
【００３４】
なお、この実施形態において、携帯端末装置としてスマートフォン２を例示しているが、携帯端末装置はスマートフォン２に限定されない。また、この実施形態ではテレビ放送を例に挙げて説明しているが、放送はテレビ放送に限定されず、たとえばラジオ放送、地域内の防災放送、施設内の構内放送などであってもよい。
【００３５】
なお、テレビ１のスピーカ、スマートフォン２のマイクは、それぞれ加振器、振動ピックアップでもよい。音響ＩＤが放音される媒体は空気に限らず、固体、液体等であっても、音波が伝搬される媒体であればよい。
【符号の説明】
【００３６】
１  テレビ（放音装置）
２  スマートフォン（携帯端末装置）
３  ネットワーク
４  ＩＤ解決サーバ
５  コンテンツサーバ
６  ユーザ
４０  ＩＤ／ＵＲＬ対応テーブル
【図１】
2012227631.tif 000003
【図２】
2012227631.tif 000004
【図３】
2012227631.tif 000005
【図４】
2012227631.tif 000006
【図５】
2012227631.tif 000007